(57)【特許請求の範囲】
【請求項１】
天板を挟んだ被検者側にＸ線管、反対側の天板裏側に矩形のフラットパネルを対向して配置し、そのフラットパネルに天板の長手方向と散乱線を除去するグリッドの縞目が一致するようにグリッドが装着され、被検者のＸ線透過像を前記フラットパネルで撮影するＸ線透視撮影台において、前記フラットパネルを保持する保持装置の一コーナに設けられ天板に垂直な回転軸Ａと、前記保持装置の１辺を軸として回転する回転軸Ｂと、その２軸Ａ、Ｂの周りに回転する保持装置にセットされた前記フラットパネルを手前に引き出すことができるスライド機構とを備えて、通常の撮影時には前記フラットパネルが天板の裏側にセットされ、立位遠距離撮影時には前記フラットパネルがスライド機構により手前にスライドされて位置し、側面撮影時には前記フラットパネルが前記保持装置に収納され前記Ａ軸を中心に前記フラットパネルごと手前に９０度回転し前記Ｂ軸を中心に前記フラットパネルごと上方に９０度回転して撮影を行なうことを特徴とするＸ線透視撮影台。
【発明の詳細な説明】
【０００１】
【発明の属する技術分野】
本発明は、Ｘ線透視撮影台に係わり、特に、天板の下部に設けられた撮影装置からなる散乱線防止用グリッドを有する撮影系を用いて撮影を行なうＸ線透視撮影台に関する。
【０００２】
【従来の技術】
一つのＸ線検査室、または、別のＸ線検査室に、近接操作式のＸ線透視撮影台と、胸部撮影等のできる別置きのＸ線管と別置きのリーダ撮影台、天板等を備えた診療所や病院がある。
【０００３】
近接操作式のＸ線透視撮影台には、一般にアンダーチューブ式のＸ線透視撮影台が用いられ、操作部が透視撮影台に付いており、操作者が被検者の近くに位置して、Ｘ線受像系（速写装置、Ｉ．Ｉ．、ＴＶカメラなど）を操作するもので、被検者への指示が与えやすく被検者に与える不安感が少なく、撮影すべき部位の位置決めや圧迫が行いやすいが、操作を短時間にするために可動する映像系の軽量化など、操作性の向上が要求されている。
【０００４】
また、骨格系などの撮影のために、天板の裏側でＸ線管が取付けられている上部に、Ｘ線撮影用カセッテを用いてブッキー撮影が可能な撮影機構が設けられ、別置きのＸ線管にて単純撮影が行なわれている。
また、胸部撮影は、焦点―フイルム間距離を２ｍ近くまで確保する必要があるため、近接操作式のＸ線透視撮影台では行うことができず、別置きのＸ線管と別置きのリーダ撮影台によって行われている。
【０００５】
また、検査の手技上被検者の側面撮影を行う時、被検者を天板上で体位を横にして行わなければならない。しかし、動かすことのできない被検者の場合は、別置きのＸ線管と天板で、側面撮影が行われる場合がある。
そして、設備の有効利用を図るために、上記の近接操作式Ｘ線透視撮影台と、胸部撮影用等のＸ線管とリーダ撮影台、天板を、一つのＸ線検査室に備えて、タイムシェアリングでＸ線検査を行っているケースがある。
【０００６】
図６に、別置きのＸ線管１、もしくは、装置本体に組み込まれたＸ線管１を用い、撮影台天板３の下部に設けられた撮影装置５を用いて、被検者１３の撮影を行なう状態を示す。（ａ）は通常の正面撮影を行う状態を示し、（ｂ）は側面撮影を行なう状態を示す。
【０００７】
撮影台天板３の下部に設けられた撮影装置５は、その一角に、撮影台天板３に対して垂直な回転軸を有するＡ軸９と、その一辺に撮影台天板３の幅方向に対して平行な回転軸を有するＢ軸１０が設けられ、撮影台天板３の長手方向と散乱線を除去するグリッド縞６が一致するようにグリッドが装着された撮影装置保持機構１２と、その撮影装置保持機構１２の内側に撮影フイルム、増感紙がセットされたカセット（図示せず）が装着される。
【０００８】
（ａ）の通常撮影を行なう時は、撮影装置５が撮影台天板３の裏側にセットされた状態で、Ｘ線管１のコリメータ２を被検者１３の正面に向けて撮影される。その時、撮影台天板３の長手方向と散乱線を除去するグリッド縞６が一致しているため、Ｘ線管１が撮影台天板３の長手方向に移動して、位置決めを行なっても、グリッド縞６によるＸ線のカットオフが生じない。
【０００９】
（ｂ）の側面撮影を行なう時は、Ｘ線管１は被検者１３の側面に位置して、コリメータ２を被検者１３の側面に向ける。そして、撮影装置５が撮影台天板３の裏側から、Ａ軸９を中心にして回転され、撮影台天板３の外側に出される。そして、Ｂ軸１０を中心にして上方に９０度回転され、側面撮影位置１４にセットされ、側面撮影が行なわれる。この時、グリッド縞６は被検者１３の体軸方向に対し垂直の方向になり、Ｘ線管１を上下に移動させて位置決めを行なっても、グリッド縞６によるＸ線のカットオフが生じない。
【００１０】
【発明が解決しようとする課題】
従来のＸ線透視撮影台は、以上のように構成されており、撮影装置５を撮影台天板３の裏側に設け、グリッド付きの撮影装置保持機構１２にカセッテが装着され、別置きのＸ線管を用いて、被検者１３の単純撮影が行われ、さらに、水平方向の撮影を行なう時には、撮影装置５が撮影台天板３の裏側から、Ａ軸９を中心にして回転され、撮影台天板３の外側に出され、そして、Ｂ軸１０を中心にして上方に９０度回転され、側面撮影位置１４にセットされて側面撮影が行なわれている。
【００１１】
しかし、撮影装置５の撮影装置保持機構１２に装着されたグリッド縞６の方向を、撮影台天板３上の被検者１３の側面撮影に対して最適に配置することが出来た反面、回転動作で引き出した状態で、透視撮影台を起倒させて立位撮影する場合に必要な上下方向の位置決めをした場合にＸ線錐軸とグリッド中心がずれてＸ線のカットオフが発生し、正常なＸ線写真を撮影することが出来ないという問題があった。
【００１２】
本発明は、このような事情に鑑みてなされたものであって、撮影する場合に必要な上下方向のＸ線管の位置決めをした場合に、Ｘ線錐軸とグリッド中心とのずれによるＸ線のカットオフが発生することなく、被検者１３の垂直方向からの通常の正面撮影、および、被検者１３の水平方向からの側面撮影、さらに、透視撮影台を起倒させて遠距離からの立位撮影を正常に行なうことができるＸ線透視撮影台を提供することを目的とする。
【００１３】
【課題を解決するための手段】
上記課題を解決するために、本発明のＸ線透視撮影台は、天板を挟んだ被検者側にＸ線管、反対側の天板裏側に矩形のフラットパネルを対向して配置し、そのフラットパネルに天板の長手方向と散乱線を除去するグリッドの縞目が一致するようにグリッドが装着され、被検者のＸ線透過像を前記フラットパネルで撮影するＸ線透視撮影台において、前記フラットパネルを保持する保持装置の一コーナに設けられ天板に垂直な回転軸Ａと、前記保持装置の１辺を軸として回転する回転軸Ｂと、その２軸Ａ、Ｂの周りに回転する保持装置にセットされた前記フラットパネルを手前に引き出すことができるスライド機構とを備えて、通常の撮影時には前記フラットパネルが天板の裏側にセットされ、立位遠距離撮影時には前記フラットパネルがスライド機構により手前にスライドされて位置し、側面撮影時には前記フラットパネルが前記保持装置に収納され前記Ａ軸を中心に前記フラットパネルごと手前に９０度回転し前記Ｂ軸を中心に前記フラットパネルごと上方に９０度回転して撮影を行なうものである。
【００１４】
本発明のＸ線透視撮影台は上記のように構成されており、天板の裏側に設けられ、その長手方向と散乱線を除去するグリッド縞が一致するようにグリッドが装着されたフラットパネルと、撮影系を保持する保持装置の一コーナに設けられ天板に垂直な回転軸Ａと、その保持装置の１辺を軸として回転する回転軸Ｂと、フラットパネルを手前に引き出すことができるスライド機構とを備えているので、正面撮影ではフラットパネルが天板の裏側にセットされ、側面撮影ではフラットパネルが回転軸Ａを中心にして回転し外部に出され、さらに回転軸Ｂを中心にして回転され被検者の側面に位置し、立位撮影ではフラットパネルが手前にスライドされ位置することで、全ての状態において撮影する場合に必要な上下方向のＸ線管の位置決めをしても、上下方向にグリッド縞が位置しているので、Ｘ線錐軸とグリッド中心とのずれによるＸ線のカットオフが発生することはない。
【００１５】
【発明の実施の形態】
本発明のＸ線透視撮影台の一実施例を図１を参照しながら説明する。図１は本発明のＸ線透視撮影台の撮影装置を（ａ）正面撮影位置、（ｂ）立位撮影位置、（ｃ）側面撮影位置に配置した状態を示す図である。図２は本発明のＸ線透視撮影台の撮影装置を示す図である。
【００１６】
本Ｘ線透視撮影台は、コリメータ２を有するＸ線管１と、被検者を載せる撮影台天板３と、その下部に設けられた撮影装置５から構成されている。
撮影装置５は、撮影装置保持機構４と、撮影系１６とから構成されている。そして、撮影装置保持機構４は、ガイドレール１１と、ターンテーブル８と、Ａ軸９と、Ｂ軸１０から構成されている。そして、撮影系１６は、グリッドと、カセッテと、フイルムと、増感紙から構成されている。
【００１７】
撮影装置保持機構４は、ターンテーブル８の両側にガイドレール１１を設け、その内側に撮影系１６をスライド機構７によって前後に引き出すことが出来る。そして、ターンテーブル８の一角に垂直に回転するＡ軸９を備え、ターンテーブル８ごと撮影装置5を外部に回転して出すことができる。さらに、撮影装置保持機構４の一辺を軸にして回転するＢ軸１０を備え、外部に撮影装置５を出した状態で９０度上方に回転して曲げることができる。
【００１８】
撮影系１６は、撮影台天板の長手方向にグリッド縞６を持つようにＸ線散乱線防護用のグリッドが装着され、その後方にフイルムと増感紙をセットしたカセッテが収められている。ここでは、フイルムと増感紙を撮影系１６に用いたが、半導体フラットパネルの撮像装置をこのカセットの替わりに用いてもよい。
【００１９】
一方、検査室に据付される透視撮影台と、天井走行懸垂式の別置きのＸ線管とは、相対的に装置の撮影中心位置とＸ線管位置が正確に一致するように据付固定されている。そして撮影装置５による撮影はつぎのとおり行われる。
【００２０】
（ａ）正面撮影する時は、図３に示すように、透視撮影台２０のＸ線管１８と受像系１９を、頭部または下肢の方に移動させて、撮影装置５が撮影台天板３の裏側に位置される。そして、被検者の正面に、天井走行部１７から懸垂された別置きのＸ線管１、または、透視撮影台本体のＸ線管（オーバチューブ式の透視撮影台のとき）がセットされ、撮影台天板３の長手方向に位置決めされる。
【００２１】
（ｂ）立位撮影の時は、図４に示すように、Ｘ線透視撮影台２０を立位の状態に起倒させて、スライド機構７により撮影装置５から撮影系１６を手前に引き出し、撮影台天板３の横の位置にセットされる。そして、天井走行部１７から懸垂された別置きのＸ線管１で遠距離から上下方向に位置決めされる。
【００２２】
（ｃ）側面撮影の時は、図５に示すように、撮影台天板３の裏側に位置する撮影装置５を、撮影装置保持機構４のＡ軸９を中心にして、ターンテーブル８ごと回転させて外部に出し、そして、Ｂ軸１０を中心にして９０度上方に回転して、撮影装置５を被検者の側部に位置する。そして、天井走行部１７から懸垂された別置きのＸ線管１が側面水平位置にセットされ、上下方向に位置決めされる。
【００２３】
上記（ａ）、（ｂ）、（ｃ）の何れの状態でも、撮影系１６に装着されているグリッド縞６は、Ｘ線管１の上下方向の位置決め方向と一致し、Ｘ線錐軸とグリッド中心とのずれによるＸ線のカットオフが発生することはない。
【００２４】
上記の実施例では、撮影系１６としてフイルムと増感紙を撮影系１６に用いたが、半導体フラットパネルの撮像装置を、このカセットの替わりに用いたものについて説明する。半導体フラットパネルの撮像装置として、通常Ｘ線を光に変換するＸ線変換膜と、その直下に行列状に配置されたフォトダイオードアレイと、各フォトダイオードアレイに接続されたスイッチング素子によって構成され、Ｘ線照射後、各スイッチング素子を順次ＯＮすることで、各画素に蓄積された信号電荷を読み出して、Ｘ線画像を形成するタイプのものと、放射線に感応し入射線量に対応した電荷信号を直接出力する変換膜からなる放射線センサーアレイを有し、その直下に行列状に配置された電極にスイッチング素子が接続され、照射時に各スイッチング素子を順次ＯＮするすることで、各画素に蓄積された信号電荷を読み出し、Ｘ線画像を形成するタイプの２種類のものがある。
【００２５】
何れのタイプでも、データ記憶装置を内蔵してＯＦＦラインで画像構成されるものや、透視撮影台の撮影系１６とＯＮラインで信号を送るものでも適用することが出来る。フイルムと増感紙を用いずに、この半導体フラットパネルの撮像装置をカセッテ替わりに用い、撮影系１６にグリッドを同様に装着しておけば、同様の効果がある。
【００２６】
【発明の効果】
本発明のＸ線透視撮影台は上記のように構成されており、透視撮影台の天板下部に、天板長手方向にグリッド縞を有した撮影装置を、スライド式引き出し機構で天板前側まで引き出して、立位撮影位置にした時、上下方向にグリッドの縞目が位置し、また、撮影装置をスライド引出機構ごと回転させて天板前側に引き出し、その後折り曲げ持ち上げて、側面撮影位置にした時、上下方向にグリッド縞が位置し、撮影する場合に、上下方向のＸ線管の位置決めをしても、上下方向にグリッド縞が位置しているので、Ｘ線錐軸とグリッド中心とのずれによるＸ線のカットオフが発生することはない。
【００２７】
そのため、遠距離撮影を要するとき遠距離に配置した別のＸ線管を用いて、正面水平撮影、および、胸部撮影等の立位撮影を行なうことが出来る。また、動かすことが出来ない被検者、骨格系などの側面からの撮影を要するとき、別置きのＸ線管を用いて、側面撮影をすることが出来る。従って、一台の本Ｘ線透視撮影台を設置することにより、一般の透視撮影と併用して、遠距離からの正面撮影、立位撮影、側面撮影を、Ｘ線錐軸とグリッド中心のずれによるＸ線のカットオフがなく、鮮明なＸ線画像を得ることができると共に、大掛かりな装置を必要とせず検査室の空間を有効に使用することができる。
【図面の簡単な説明】
【図１】  本発明のＸ線透視撮影台の一実施例を示す図である。
【図２】  本発明のＸ線透視撮影台の撮影装置保持機構を示す図である。
【図３】  本発明のＸ線透視撮影台の正面撮影の一実施例を示す図である。
【図４】  本発明のＸ線透視撮影台の立位撮影の一実施例を示す図である。
【図５】  本発明のＸ線透視撮影台の側面撮影の一実施例を示す図である。
【図６】  従来のＸ線透視撮影台の撮影装置保持機構の操作を説明するための図である。
【符号の説明】
１…Ｘ線管
２…コリメータ
３…撮影台天板
４…撮影装置保持機構
５…撮影装置
６…グリッド縞
７…スライド機構
８…ターンテーブル
９…Ａ軸
１０…Ｂ軸
１１…ガイドレール
１２…撮影保持機構
１３…被検者
１４…側面撮影位置
１５…立位遠距離撮影位置
１６…撮影系
１７…天井走行部
１８…Ｘ線管
１９…受像系
２０…透視撮影台
【図１】
0004360006.tif 000002
【図２】
0004360006.tif 000003
【図３】
0004360006.tif 000004
【図４】
0004360006.tif 000005
【図５】
0004360006.tif 000006
【図６】
0004360006.tif 000007